(57)【要約】      （修正有）【課題】壁面に貼り付けられる吸音材・断熱材が様々な厚みに設定された場合でも対応可能な配管支持具用台座の提供。【解決手段】吸音材・断熱材が貼り付けられた壁面に、配管・配線を配設支持する配管支持具を取付ける台座１において、台座１が、壁面に固定される固定板２１と、固定板２１から立設する正円筒体の支持筒体２２とを有する壁面固定部２と、配管支持具が固定されるフランジ板３１と、フランジ板３１から垂設する正円筒体のスライド筒体３２と、を有する配管支持具固定部３とを有し、支持筒体２２とスライド筒体３２のいずれか一方が他方に重層状態に挿通されて高さ調節可能にスライドする構成であり、支持筒体２２に設けられた粗面部から成る係止部２４と、スライド筒体３２に設けられた粗面部から成る被係止部３３とが摩擦係止して吸音材・断熱材の表面と略同等高さに配管支持具を取付できる。【選択図】図１
2020070828.tif 000002
【特許請求の範囲】
【請求項１】
クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する正円筒体である支持筒体と、を有する壁面固定部と、
配管支持具が載置状態で固定されるフランジ板と、該フランジ板から垂設する正円筒体であるスライド筒体と、を有する配管支持具固定部と、
を有し、
前記支持筒体の内側に前記スライド筒体が重層状態で挿通される構成、又は前記スライド筒体の内側に前記支持体が重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体とが重層した際に互いが接する面であって、支持筒体側の面に粗面加工された粗面部から成る係止部が設けられ、スライド筒体側の面に前記係止部に接することにより摩擦係止する粗面加工された粗面部から成る被係止部が設けられ、
前記係止部と被係止部の構成が下記（Ａ）〜（Ｄ）のいずれかに示す構成であり、
前記支持筒体に対して前記スライド筒体を、前記吸音材・断熱材の厚みに応じて厚み方向に摺動移動させて任意の位置まで移動させて摩擦係止することにより、前記吸音材・断熱材の表面と略同等高さに配管支持具を取付けることを可能とする構成であること、
を特徴とする配管支持具用台座。
［係止部・被係止部の構成］
（Ａ）係止部が筒体長さ方向であるスライド範囲の少なくとも上方部分に設けられ、被係止部がスライド範囲の上方から下方まで設けられた構成であり、係止部と被係止部のいずれか一方又は両方が筒体円周方向の全域に設けられた構成。
（Ｂ）係止部が筒体長さ方向であるスライド範囲の上方から下方まで設けられ、被係止部がスライド範囲の少なくとも下方部分に設けられた構成であり、係止部と被係止部のいずれか一方又は両方が筒体円周方向の全域に設けられた構成。
（Ｃ）係止部が筒体長さ方向であるスライド範囲の上方から下方まで設けられ、被係止部がスライド範囲の上方から下方まで設けられた構成であり、係止部と被係止部の両方が筒体円周方向の全域に設けられた構成。
（Ｄ）係止部が筒体長さ方向であるスライド範囲の上方から下方まで設けられ、被係止部がスライド範囲の上方から下方まで設けられた構成であり、係止部と被係止部の一方が筒体円周方向の全域に設けられた構成。
【請求項２】
前記係止部及び／又は被係止部の粗面部が、円筒体の表面を粗面加工して形成された構成であることを特徴とする請求項１に記載の配管支持具用台座。
【請求項３】
前記係止部及び／又は被係止部の粗面部が、表面が粗面加工された他部材を円筒体の表面に付加した構成であることを特徴とする請求項１に記載の配管支持具用台座。
【請求項４】
表面が粗面加工された他部材が研磨紙・研磨布紙であることを特徴とする請求項３に記載の配管支持具用台座。
【発明の詳細な説明】
【技術分野】
【０００１】
本発明は配管支持具用台座に関し、詳しくはクッション性を有する吸音材・断熱材が貼り付けられた壁面に、配管・配線を配設支持する配管支持具を前記吸音材・断熱材の厚みを考慮した状態で取付けるための配管支持具用台座に関する。
【背景技術】
【０００２】
吸音材・断熱材が貼り付けられた壁面に、配管・配線を配設支持する配管支持具を取付けるための台座としては、例えば、特許文献１に記載の技術等が知られている。
【０００３】
特許文献１に記載の技術によれば、壁面に貼られた吸音材・断熱材に形成した挿入穴に台座を挿入し、この台座の固定板を壁面にボルトやネジの如き固定手段により固定し、前記吸音材・断熱材の表面と略同等高さに位置するフランジ板に配管支持具を載置した状態で取付固定することができる。
【先行技術文献】
【特許文献】
【０００４】
【特許文献１】意匠登録第１５６９８８０号公報
【発明の概要】
【発明が解決しようとする課題】
【０００５】
しかし特許文献１に記載の技術では、施工場所の設計条件に応じて吸音材・断熱材の厚みが様々な厚みに設定された場合、この吸音材・断熱材の様々な厚み毎に適した複数種類の高さの台座を用意しなければならないという問題点を有している。
【０００６】
そこで本発明の課題は、壁面に貼り付けられる吸音材・断熱材が様々な厚みに設定された場合であっても対応可能な配管支持具用台座を提供することにある。
【課題を解決するための手段】
【０００７】
上記課題を解決する本発明は下記構成を有する。
【０００８】
１．クッション性を有する吸音材・断熱材が貼り付けられた壁面に、配管・配線を配設支持する配管支持具を前記吸音材・断熱材の厚みを考慮した状態で取付けるための配管支持具用台座において、
配管支持具用台座が、
ボルトやネジの如き固定手段により壁面に固定される固定板と、該固定板から立設する正円筒体である支持筒体と、を有する壁面固定部と、
配管支持具が載置状態で固定されるフランジ板と、該フランジ板から垂設する正円筒体であるスライド筒体と、を有する配管支持具固定部と、
を有し、
前記支持筒体の内側に前記スライド筒体が重層状態で挿通される構成、又は前記スライド筒体の内側に前記支持体が重層状態で挿通される構成、のいずれかであると共に、前記フランジ板の高さ位置が前記吸音材・断熱材の表面と略同等高さとなるように前記支持筒体に対して前記スライド筒体が高さ調節可能にスライドする構成であり、
前記支持筒体と前記スライド筒体とが重層した際に互いが接する面であって、支持筒体側の面に粗面加工された粗面部から成る係止部が設けられ、スライド筒体側の面に前記係止部に接することにより摩擦係止する粗面加工された粗面部から成る被係止部が設けられ、
前記係止部と被係止部の構成が下記（Ａ）〜（Ｄ）のいずれかに示す構成であり、
前記支持筒体に対して前記スライド筒体を、前記吸音材・断熱材の厚みに応じて厚み方向に摺動移動させて任意の位置まで移動させて摩擦係止することにより、前記吸音材・断熱材の表面と略同等高さに配管支持具を取付けることを可能とする構成であること、
を特徴とする配管支持具用台座。
［係止部・被係止部の構成］
（Ａ）係止部が筒体長さ方向であるスライド範囲の少なくとも上方部分に設けられ、被係止部がスライド範囲の上方から下方まで設けられた構成であり、係止部と被係止部のいずれか一方又は両方が筒体円周方向の全域に設けられた構成。
（Ｂ）係止部が筒体長さ方向であるスライド範囲の上方から下方まで設けられ、被係止部がスライド範囲の少なくとも下方部分に設けられた構成であり、係止部と被係止部のいずれか一方又は両方が筒体円周方向の全域に設けられた構成。
（Ｃ）係止部が筒体長さ方向であるスライド範囲の上方から下方まで設けられ、被係止部がスライド範囲の上方から下方まで設けられた構成であり、係止部と被係止部の両方が筒体円周方向の全域に設けられた構成。
（Ｄ）係止部が筒体長さ方向であるスライド範囲の上方から下方まで設けられ、被係止部がスライド範囲の上方から下方まで設けられた構成であり、係止部と被係止部の一方が筒体円周方向の全域に設けられた構成。
【０００９】
２．前記係止部及び／又は被係止部の粗面部が、円筒体の表面を粗面加工して形成された構成であることを特徴とする上記１に記載の配管支持具用台座。
【００１０】
３．前記係止部及び／又は被係止部の粗面部が、表面が粗面加工された他部材を円筒体の表面に付加した構成であることを特徴とする上記１に記載の配管支持具用台座。
【００１１】
４．表面が粗面加工された他部材が研磨紙・研磨布紙であることを特徴とする上記３に記載の配管支持具用台座。
【発明の効果】
【００１２】
請求項１に示す発明によれば、壁面に貼り付けられる吸音材・断熱材が様々な厚みに設定された場合であっても対応可能な配管支持具用台座を提供することができる。
【００１３】
特に、壁面固定部に対して配管支持具固定部が高さ調節可能な構成を有するので、吸音材・断熱材の厚みに応じて高さを適宜設定することにより配管支持具を取付固定するフランジ板を前記吸音材・断熱材の表面と略同等高さとすることができる。
また、壁面固定部の支持筒体に対して、配管支持具固定部のスライド筒体が高さ調節可能に重層する構成を有するので、壁面固定部に対して配管支持具を安定した状態で取り付けられる。従って、配管支持具固定部のフランジ板に載置固定される配管支持具を安定した状態で取り付けることができるので、壁面に沿って配管・配線を安定した状態で支持固定することができる。
更に、本発明の被係止部に係止部を摩擦係止させる構成によって耐振（耐震）性の向上、及びぐらつきの抑制効果が期待できる。
更にまた、重層する支持筒体とスライド筒体の両方が正円筒体であるため、高さ調節可能であるだけでなく、支持筒体に対してスライド筒体を回動させることができるので抱持支持する配管の配管向きに応じて配管支持具を取付固定するフランジ板の向きを調節することができる。
【００１４】
請求項２に示す発明によれば、筒体の表面を粗面加工するだけで係止部・被係止部を形成することができるので低コストで容易に加工可能である。
【００１５】
請求項３に示す発明によれば、粗面加工された他部材を付加するだけで係止部・被係止部を形成することができるので低コストで容易に加工可能である。
【００１６】
請求項４に示す発明によれば、容易に入手可能であるだけでなく容易に加工可能な研磨紙・研磨布紙を用いることにより係止部・被係止部を形成することができるので極めて低コストで容易に加工可能である。
【図面の簡単な説明】
【００１７】
【図１】本発明に係る配管支持具用台座の一実施例を示す５面図（正面図、平面図、底面図、左側面図、Ａ−Ａ線断面図。背面図は正面図と、右側面図は左側面図と、夫々対称のため省略。）
【図２】図１に示す配管支持具用台座の壁面固定部の５面図（正面図、平面図、底面図、左側面図、Ｂ−Ｂ線断面図。背面図は正面図と、右側面図は左側面図と、夫々対称のため省略。）
【図３】図１に示す配管支持具用台座の配管支持具固定部の５面図（正面図、平面図、底面図、左側面図、Ｃ−Ｃ線断面図。背面図は正面図と、右側面図は左側面図と、夫々対称のため省略。）
【図４】図１に示す配管支持具用台座の使用状態の一例を示す概略説明図
【図５】係止部の他の例を示す正面図及びＤ−Ｄ線断面図
【図６】係止部の更に他の例を示す正面図及びＥ−Ｅ線断面図
【図７】係止部の更に他の例を示す正面図及びＦ−Ｆ線断面図
【図８】被係止部の他の例を示す正面図
【図９】被係止部の更に他の例を示す正面図
【図１０】被係止部の更に他の例を示す正面図
【発明を実施するための形態】
【００１８】
次に、添付の図面に従って本発明を詳細に説明する。
【００１９】
本発明に係る配管支持具用台座（以下、単に台座ということもある。）は、クッション性を有する吸音材・断熱材が貼り付けられた壁面に、配管・配線を配設支持する配管支持具を前記吸音材・断熱材の厚みを考慮した状態で取付けるためのものである。
【００２０】
本発明の配管支持具用台座１の具体的構成としては、図１〜図４に示す実施例によれば、
クッション性を有する吸音材・断熱材５が貼り付けられた壁面４に、配管・配線Ｐを配設支持する配管支持具６を前記吸音材・断熱材５の厚みを考慮した状態で取付けるための構成において、
台座１が、
ボルトやネジの如き固定手段７により壁面に固定される固定板２１と、該固定板２１から立設する正円筒体である支持筒体２２と、を有する壁面固定部２と、
配管支持具６が載置状態で固定されるフランジ板３１と、該フランジ板３１から垂設する正円筒体であるスライド筒体３２と、を有する配管支持具固定部３と、
を有し、
前記支持筒体２２の内側に前記スライド筒体３２が重層状態で挿通される構成であると共に、前記フランジ板３１の高さ位置が前記吸音材・断熱材５の表面と略同等高さとなるように前記支持筒体２２に対して前記スライド筒体３２が高さ調節可能にスライドする構成であり、
前記支持筒体２２と前記スライド筒体３２とが重層した際に互いが接する面であって、支持筒体２２側の面に粗面加工された粗面部から成る係止部２４が設けられ、スライド筒体３２側の面に前記係止部２４に接することにより摩擦係止する粗面加工された粗面部から成る被係止部３３が設けられ、
前記係止部２４が筒体長さ方向であるスライド範囲の上方から下方まで設けられ、被係止部３３がスライド範囲の上方から下方まで設けられた構成であり、係止部２４と被係止部３３の両方が筒体円周方向の全域に設けられた構成であり、
前記支持筒体２２に対して前記スライド筒体３２を、前記吸音材・断熱材５の厚みに応じて厚み方向に摺動移動させて任意の位置まで移動させて摩擦係止することにより、前記吸音材・断熱材５の表面と略同等高さに配管支持具６を取付けることを可能とする構成であること、
を主構成とするものである。
尚、図１〜図４において、符号２５は固定板２１に穿かれて固定手段７が挿通される壁面固定用孔であり、符号３４はフランジ板３１に穿かれて配管支持具６を取付固定するためのボルト８が挿通螺合する配管支持具固定用孔であり、符号３５は壁面４に台座１を固定手段７によって固定する際に該固定手段７を緊締操作するためのドライバーの如き緊締具を挿通するためのドライバー挿通孔である。
【００２１】
以下、本発明の構成について更に詳説する。
【００２２】
壁面固定部２の支持筒体２２に設けられた係止部２４は、該支持筒体２２の内周面の筒体長さ方向であるスライド範囲の上方から下方までであって筒体円周方向の全域を粗面加工した構成である。
また、配管支持具固定部３のスライド筒体３２に設けられた被係止部３３は、該スライド筒体３２の外周面の筒体長さ方向であるスライド範囲の上方から下方までであって筒体円周方向の全域を粗面加工した構成である。
係止部２４及び被係止部３３を形成する粗面加工としては、梨地加工、ヘアライン加工、ハッチング加工等、細かな多数の凸や凹の連続した表面加工等、公知公用の粗面加工を特別の制限なく挙げることができる。
【００２３】
粗面加工した係止部２４及び被係止部３３によって、支持筒体２２の内周面に設けられた係止部２４は、スライド筒体３２の外周面に設けられて被係止部３３に摩擦係止される構成となる。かかる構成によって、被係止部３３と係止部２４との摩擦に抗して、スライド筒体３２を支持筒体２２に対して摺動させて所望の位置まで移動させた後に摺動移動をやめることにより摩擦係止されるため、高さ調節が容易である。
【００２４】
上記構成を有する本発明の台座１は、ステンレス、亜鉛メッキ仕上げを施した鋳鉄鋼等の金属や、ポリプロピレン樹脂、ＡＢＳ樹脂等の合成樹脂等、この種の配管支持具として用いられる公知公用の材料から特別の制限なく形成されるものであるが、好ましくは重層状態で挿通される構成の支持筒体２２とスライド筒体３２は撓み性を有する構成であってもよい。
【００２５】
また、上記構成を有する本発明の台座１を用いる場合、図４に示すように、壁面４に貼られた吸音材・断熱材５に、該台座１が挿入可能な挿入穴を形成し、この挿入穴内に台座１を挿入し、固定板２１を壁面４にボルトやネジの如き固定手段７により固定する。
この挿入、固定の際、或いは挿入前に、前記吸音材・断熱材５の表面とフランジ板３１の位置が略同等高さとなるように、支持筒体２２に対してスライド筒体３２を摺動移動させる。この摺動移動によって高さを適宜設定することにより、配管支持具６を取付固定するフランジ板３１を前記吸音材・断熱材５の表面と略同等高さとすることができる。
固定板２１の壁面４への固定と、並びにフランジ板３１の高さ位置を吸音材・断熱材５の表面と略同等高さでの固定とが済んだ後、フランジ板３１に配管支持具６を載置し、ボルト８等によって取付固定する。
台座１に取付固定した配管支持具６に配管・配線Ｐを抱持支持させることによって、クッション性を有する吸音材・断熱材５が貼り付けられた壁面４に、配管・配線Ｐを配設支持することができる。
特に、係止部２４に対して被係止部３３を強い摩擦によって係止させる構成とした場合には、壁面固定部２と配管支持具固定部３とが強固に連結された状態となるので、壁面４に対して配管Ｐを支持した配管支持具６の高さ位置は変動することなく確実に支持固定されることになる。
また、係止部２４に対して被係止部３３を緩い状態でガタつきを許容させた状態で摩擦係止させる構成とした場合には、この緩い摩擦係止構成が配管Ｐの振動・震動（ウォーターハンマー現象、地震等の揺れ等）を吸収する緩衝機能を発揮することになる。特に、壁面４に取付けた際には本発明の台座１の周囲は吸音材・断熱材５に囲繞された状態となるので、配管Ｐが振動・震動した際には前記した緩い摩擦係止構成による緩衝機能に吸音材・断熱材５が有するクッション性が加わって二重の衝撃吸収機能を発揮するという相乗効果が生じることになる。
【００２６】
以上、本発明に係る配管支持具用台座の実施例について説明したが、本発明は上記構成に限定されず、本発明の範囲内において種々の態様を採ることができる。
【００２７】
例えば、支持筒体２２とスライド筒体３２の重層構成は、上記実施例では、スライド筒体３２が支持筒体２２の内側に重層状態で挿通される構成であったが、本発明はかかる構成に限定されず、支持筒体２２がスライド筒体３２の内側に重層状態で挿通される構成とすることもできる。この場合、支持筒体２２の外周面に係止部２４が設けられ、スライド筒体３２の内周面に被係止部３３が設けられることになる。この支持筒体２２がスライド筒体３２の内側に挿通される構成の場合についても、係止部２４と被係止部３３の構成は下記の（Ａ）〜（Ｄ）のいずれかの構成を採ることができる。
［係止部２４・被係止部３３の構成］
（Ａ）係止部２４が筒体長さ方向であるスライド範囲の少なくとも上方部分に設けられ、被係止部３３がスライド範囲の上方から下方まで設けられた構成であり、係止部２４と被係止部３３のいずれか一方又は両方が筒体円周方向の全域に設けられた構成。
（Ｂ）係止部２４が筒体長さ方向であるスライド範囲の上方から下方まで設けられ、被係止部３３がスライド範囲の少なくとも下方部分に設けられた構成であり、係止部２４と被係止部３３のいずれか一方又は両方が筒体円周方向の全域に設けられた構成。
（Ｃ）係止部２４が筒体長さ方向であるスライド範囲の上方から下方まで設けられ、被係止部３３がスライド範囲の上方から下方まで設けられた構成であり、係止部２４と被係止部３３の両方が筒体円周方向の全域に設けられた構成。
（Ｄ）係止部２４が筒体長さ方向であるスライド範囲の上方から下方まで設けられ、被係止部３３がスライド範囲の上方から下方まで設けられた構成であり、係止部２４と被係止部３３の一方が筒体円周方向の全域に設けられた構成。
【００２８】
また、上記実施例では、係止部２４と被係止部３３は各々が設けられる円筒体の表面を粗面加工して形成した構成であったが、本発明はかかる構成に限定されず、表面が粗面加工された他部材を円筒体の表面に付加した構成であってもよい。表面が粗面加工された他部材としては、支持体が紙製や布製の一般にサンドペーパーと呼ばれる研磨紙・研磨布紙を挙げることができる。更に、その他の薄板状のヤスリ体を用いることもできる。
【００２９】
また、上記実施例では、係止部２４が支持筒体２２の内周面のスライド範囲の全域に設けられ、被係止部３３がスライド筒体３２の外周面のスライド範囲の全域に設けられ構成、即ち、上記の（Ｃ）構成であったが、本発明はかかる構成に限定されず、係止部２４を図５〜図７に示す構成としたり、被係止部３３を図８〜図１０に示す構成とすることもできる。
【００３０】
図５に示す係止部２４は、支持筒体２２のスライド範囲の上方部分であって、且つ筒体円周方向の全域に設けられた構成である。
図６に示す係止部２４は、支持筒体２２のスライド範囲の上方部分であって、且つ筒体円周方向の一部に設けられた構成である。尚、図６に示す実施例では、円周方向の４箇所に設けられているが、１箇所であってもよいし、２箇所又は３箇所、或いは５箇所以上であってもよい。
図７に示す係止部２４は、支持筒体２２のスライド範囲の上方から下方までであって、且つ筒体円周方向の一部に設けられた構成である。尚、図７に示す実施例では、円周方向の２箇所に設けられているが、１箇所であってもよいし、３箇所以上であってもよい。
【００３１】
図８に示す被係止部３３は、スライド筒体３２のスライド範囲の下方部分であって、且つ筒体円周方向の全域に設けられた構成である。
図９に示す被係止部３３は、スライド筒体３２のスライド範囲の下方部分であって、且つ筒体円周方向の一部に設けられた構成である。尚、図９に示す実施例では、円周方向の４箇所に設けられているが、１箇所であってもよいし、２箇所又は３箇所、或いは５箇所以上であってもよい。
図１０に示す被係止部３３は、スライド筒体３２のスライド範囲の上方から下方までであって、且つ筒体円周方向の一部に設けられた構成である。尚、図１０に示す実施例では、円周方向の２箇所に設けられているが、１箇所であってもよいし、３箇所以上であってもよい。
【００３２】
係止部２４が図２に示す実施例と図５〜図７に示す他の実施例を採る場合、並びに被係止部３３が図３に示す実施例と図８〜図１０に示す他の実施例を採る場合、各々の組合せ可能な構成は下記の通りである。
【００３３】
係止部２４が図２に示す構成の場合、被係止部３３は、図３に示す構成（図１に示す実施例と同じ上記（Ｃ）に構成）、図８に示す構成（上記（Ｂ）に示す構成）、図９に示す構成（上記（Ｂ）に示す構成）、図１０に示す構成（上記（Ｄ）に示す構成）のいずれの構成を採っても本発明の摩擦係止構成と成る。
【００３４】
係止部２４が図５に示す構成の場合、被係止部３３は、図３に示す構成（上記（Ａ）に示す構成）、図１０に示す構成（上記（Ａ）に示す構成）のいずれかの構成を採ることにより本発明の摩擦係止構成と成る。
【００３５】
係止部２４が図６に示す構成の場合、被係止部３３は、図３に示す構成（上記（Ａ）に示す構成）の構成を採ることにより本発明の摩擦係止構成と成る。
【００３６】
係止部２４が図７に示す構成の場合、被係止部３３は、図３に示す構成（上記（Ｄ）に示す構成）、図８に示す構成（上記（Ｂ）に示す構成）のいずれかの構成を採ることにより本発明の摩擦係止構成と成る。
【符号の説明】
【００３７】
１  配管支持具用台座
２  壁面固定部
２１  固定板
２２  支持筒体
２４  係止部
２５  壁面固定用孔
３  配管支持具固定部
３１  フランジ板
３２  スライド筒体
３３  被係止部
３４  配管支持具固定用孔
３５  ドライバー挿通孔
４  壁面
５  吸音材・断熱材
６  配管支持具
７  固定手段
８  ボルト
Ｐ  配管・配線
【図１】
2020070828.tif 000003
【図２】
2020070828.tif 000004
【図３】
2020070828.tif 000005
【図４】
2020070828.tif 000006
【図５】
2020070828.tif 000007
【図６】
2020070828.tif 000008
【図７】
2020070828.tif 000009
【図８】
2020070828.tif 000010
【図９】
2020070828.tif 000011
【図１０】
2020070828.tif 000012